(57)【要約】【課題】  より適切なタイミングで結露除去が実行されるようにする。【解決手段】  データ処理装置は、前記データ処理装置内の結露の除去を実行する指示をユーザから受け付ける受付手段を有し、結露の除去を実行するために必要な条件が満たされているかを判断し、前記条件が満たされていると判断した場合、前記受付手段により受け付ける指示に従って、前記データ処理装置内の結露を除去する。【選択図】  図４
2012093718.tif 000002
【特許請求の範囲】
【請求項１】
データ処理装置であって、
前記データ処理装置内の結露の除去を実行する指示をユーザから受け付ける受付手段と、
結露の除去を実行するために必要な条件が満たされているかを判断する判断手段と、
前記条件が満たされていると前記判断手段で判断した場合、前記受付手段により受け付ける指示に従って、前記データ処理装置内の結露を除去する結露除去手段を有することを特徴とするデータ処理装置。
【請求項２】
前記受付手段は、前記条件が満たされていると前記判断手段で判断した場合、前記指示を受け付け可能にすることを特徴とする請求項１に記載のデータ処理装置。
【請求項３】
前記条件とは実行中のジョブがないこと、であることを特徴とする請求項１または２に記載のデータ処理装置。
【請求項４】
前記結露除去手段は、トナーで結露を吸着することを特徴とする請求項１乃至３のいずれか１項に記載のデータ処理装置。
【請求項５】
前記条件とは一定量のトナーが残っていること、であることを特徴とする請求項４に記載のデータ処理装置。
【請求項６】
結露を吸着するために使われたトナーを蓄積する、前記データ処理装置から取り出し可能な蓄積手段をさらに有し、
前記条件とは前記蓄積手段があること、であることを特徴とする請求項４に記載のデータ処理装置。
【請求項７】
前記受付手段は、結露の除去の実行を指示するためのボタンを表示し、
前記条件が満たされていると前記判断手段で判断した場合は、前記受付手段は、前記ボタンを押下できることをユーザが認識できるように前記ボタンを表示し、
前記条件が満たされていないと前記判断手段で判断した場合は、前記受付手段は、前記ボタンを押下できないことをユーザが認識できるように前記ボタンを表示することを特徴とする請求項１乃至６のいずれか１項に記載のデータ処理装置。
【請求項８】
データ処理装置であって、
記録紙に印刷をする印刷手段と、
結露の除去を実行するよう前記印刷手段に指示する第１の指示手段と、
記録紙への印刷をするよう前記印刷手段に指示する第２の指示手段と、を有し、
前記印刷手段は、結露の除去を実行するよう指示された後であって、結露の除去を完了する前に、記録紙への印刷をするよう指示された場合には、記録紙への印刷を開始しないようにすることを特徴とするデータ処理装置。
【請求項９】
前記印刷手段は、結露の除去を実行するよう指示された後であって、結露の除去を完了する前に、記録紙への印刷をするよう指示された場合には、記録紙への印刷を開始できないことを示す情報を前記第２の指示手段に送信し、
前記印刷手段は、結露の除去を完了した場合には、結露の除去を完了したことを示す情報を前記第２の指示手段に送信し、
前記第２の指示手段は、録紙への印刷を開始できないことを示す情報を受信した場合には、結露の除去の完了を示す情報を受信した後に、再度、記録紙への印刷をするよう前記印刷手段に指示することを特徴とする請求項８に記載のデータ処理装置。
【請求項１０】
データ処理装置で実行される結露除去方法であって、
前記データ処理装置内の結露の除去を実行する指示をユーザから受け付ける受付ステップと、
結露の除去を実行するために必要な条件が満たされているかを判断する判断ステップと、
前記条件が満たされていると判断した場合、前記指示に従って、前記データ処理装置内の結露を除去する結露除去ステップを有することを特徴とする結露除去方法。
【請求項１１】
記録紙に印刷をする印刷手段を有するデータ処理装置で実行される結露除去方法であって、
結露の除去を実行するよう前記印刷手段に指示する第１の指示ステップと、
記録紙への印刷をするよう前記印刷手段に指示する第２の指示ステップと、を有し、
前記印刷手段は、結露の除去を実行するよう指示された後であって、結露の除去を完了する前に、記録紙への印刷をするよう指示された場合には、記録紙への印刷を開始しないようにすることを特徴とする結露除去方法。
【請求項１２】
請求項１０または１１に記載の結露除去方法をコンピュータに実行させる、前記コンピュータにより読み取り可能なプログラム。
【発明の詳細な説明】
【技術分野】
【０００１】
本発明は、結露除去を実行可能なデータ処理装置に関するものである。
【背景技術】
【０００２】
結露除去を行うデータ処理装置がある。
特許文献１では、画像形成装置は、画像形成装置内の結露の有無を判定し、結露があると判定した場合に、結露除去を行う。判定は、画像形成装置内の温度および湿度を検出し、その検出結果に基づいて行う。
また、特許文献２では、ユーザが結露解消モードに移行するかどうかを選択し、結露解消モードに移行することをユーザが選択した場合に、画像形成装置は結露除去を行う。
【先行技術文献】
【特許文献】
【０００３】
【特許文献１】特開２００８−１２２８１４
【特許文献２】特開２００４−１４４９９５
【発明の概要】
【発明が解決しようとする課題】
【０００４】
結露の有無を機械的に判定するだけでは、必ずしも正しいタイミングで結露除去が実行されるとは限らないことから、ユーザが結露除去の実行を指示できることは有用である。
しかしながら、ユーザの指示のみに従って結露除去を実行してしまうと、結露除去を実行するのに望ましくないタイミングで結露除去が行われてしまう場合がある。その場合には、結露が適切に除去されなかったり、データ処理装置で実行中のジョブが邪魔されてしまったりする。
また、結露除去を実行中に、他のジョブを実行し始めてしまうと、結露除去が邪魔されて、結露が正常に終了できないおそれがある。
そこで、本発明では、より適切なタイミングで結露除去が実行されるようにする。
【課題を解決するための手段】
【０００５】
本発明に係るデータ処理装置は、前記データ処理装置内の結露の除去を実行する指示をユーザから受け付ける受付手段と、結露の除去を実行するために必要な条件が満たされているかを判断する判断手段と、前記条件が満たされていると前記判断手段で判断した場合、前記受付手段により受け付ける指示に従って、前記データ処理装置内の結露を除去する結露除去手段を有することを特徴とする。
【０００６】
また、本発明に係るデータ処理装置は、記録紙に印刷をする印刷手段と、結露の除去を実行するよう前記印刷手段に指示する第１の指示手段と、記録紙への印刷をするよう前記印刷手段に指示する第２の指示手段と、を有し、前記印刷手段は、結露の除去を実行するよう指示された後であって、結露の除去を完了する前に、記録紙への印刷をするよう指示された場合には、記録紙への印刷を開始しないようにすることを特徴とする。
【０００７】
また、本発明に係る結露除去方法は、データ処理装置で実行される結露除去方法であって、前記データ処理装置内の結露の除去を実行する指示をユーザから受け付ける受付ステップと、結露の除去を実行するために必要な条件が満たされているかを判断する判断ステップと、前記条件が満たされていると判断した場合、前記指示に従って、前記データ処理装置内の結露を除去する結露除去ステップを有することを特徴とする。
【０００８】
また、本発明に係る結露除去方法は、記録紙に印刷をする印刷手段を有するデータ処理装置で実行される結露除去方法であって、結露の除去を実行するよう前記印刷手段に指示する第１の指示ステップと、記録紙への印刷をするよう前記印刷手段に指示する第２の指示ステップと、を有し、前記印刷手段は、結露の除去を実行するよう指示された後であって、結露の除去を完了する前に、記録紙への印刷をするよう指示された場合には、記録紙への印刷を開始しないようにすることを特徴とする。
【０００９】
また、本発明に係るプログラムは、上記のような結露除去方法をコンピュータに実行させることを特徴とする。
【発明の効果】
【００１０】
本発明によれば、データ処理装置は、より適切なタイミングで結露除去を実行できるようになる。
【図面の簡単な説明】
【００１１】
【図１】本発明に係る印刷システムを示すブロック図である。
【図２】画像形成部１１１の内部構成を示す図である。
【図３】操作部１１２に表示される結露除去操作画面の一例を示す図である。
【図４】結露除去を実行できるかどうかを判定する判定処理を示すフローチャートである。
【図５】印刷ジョブの実行と結露除去の実行とが競合した場合に実行する処理を示すフローチャートである。
【発明を実施するための形態】
【００１２】
図面を参照して、本発明に係わる実施形態を説明する。ただし、この実施形態はあくまでも例示であり、本発明の範囲がそれらのみに限定されるという趣旨ではない。
【００１３】
図１は、本発明に係る印刷システムを示すブロック図である。以下では、本発明に係るデータ処理装置の一例として画像形成装置を説明する。
【００１４】
この印刷システムでは、情報処理装置１０１と画像形成装置１０２とがネットワーク１０３を介して接続している。情報処理装置１０１はデスクトップＰＣ（デスクトップパーソナルコンピュータ）やノートＰＣなどである。ネットワーク１０３は有線ＬＡＮ、インターネット、ＵＳＢなどである。なお、ネットワーク１０３は無線ＬＡＮであってもよい。
【００１５】
情報処理装置１０１はネットワーク通信部１０４、記憶部１０５及び制御部１０６を有する。情報処理装置はその他にキーボード、マウス、ディスプレイなどを備えているが、これらは図１においては省略する。
【００１６】
ネットワーク通信部１０４は画像形成装置１０２に印刷データを送信し、画像形成装置１０２から装置情報や印刷結果などを受信する。記憶部１０５はＲＯＭ、ＲＡＭ、ＨＤＤ（ハードディスクドライブ）などから構成される。記憶部１０５は印刷ジョブの設定に関する情報（たとえば印刷設定値）や印刷データなどを記憶する。
【００１７】
制御部１０６はＣＰＵによって構成される。ＣＰＵが記憶部１０５に記憶されている制御プログラム、例えば文書作成アプリケーションやプリンタドライバなどを実行して、様々な情報処理を行う。制御部１０６は記憶部１０５から印刷データや印刷設定値を読み出して、それらを画像形成装置１０２に送信するようネットワーク通信部１０４を制御する。
【００１８】
画像形成装置１０２はネットワーク通信部１０７、記憶部１０８、制御部１０９、画像入力部１１０、画像形成部１１１、操作部１１２を有する。
【００１９】
ネットワーク通信部１０７は情報処理装置１０１から印刷データや印刷設定値などを受信し、画像形成装置の装置情報や印刷結果などを情報処理装置１０１に送信する。記憶部１０８はＲＯＭ、ＲＡＭ、ＨＤＤ（ハードディスクドライブ）などから構成される。記憶部１０８は、情報処理装置１０１から受信した印刷データや印刷設定値、画像入力部１１０で読み取った画像データ、各種プログラム、操作部１１２に表示される画面情報などを記憶する。
【００２０】
制御部１０９はＣＰＵから構成される。ＣＰＵが記憶部１０８に記憶されている制御プログラムを実行して、画像形成装置１０２を制御する。制御部１０９は、操作部１１２から入力された印刷開始指示に従って印刷ジョブ（例えばコピージョブ）を生成し、画像入力部１１０で読み取った画像データ（以下、この画像データを含めて印刷データと呼ぶ）を記憶部１０８に記憶させる。また、制御部１０９は、情報処理装置１０１から受信した印刷データに従って印刷ジョブ（例えばＰＤＬ（Ｐａｇｅ  Ｄｅｓｃｒｉｐｔｉｏｎ  Ｌａｎｇｕａｇｅの略）印刷ジョブ）を生成し、印刷データを記憶部１０８に記憶させる。制御部１０９は、生成した印刷ジョブを特定する識別子（ジョブＩＤ）を、記憶部１０８に記憶されているジョブリストに追加する。制御部１０９は、ジョブリストの順番に従って、記憶部１０８に記憶されている印刷データを読み出して、印刷データに基づく画像を記録紙上に形成するよう画像形成部１１１を制御する。印刷ジョブに基づく画像形成が完了すると、制御部１０９はその印刷ジョブに対応する識別子をジョブリストから消去する。
【００２１】
また、制御部１０９は結露除去処理プログラムを実行し、操作部１１２から入力された結露除去指示に従って画像形成部１１１に結露除去要求を送信し、結露除去を実行するよう画像形成部１１１に指示する。
【００２２】
画像入力部１１０は例えばスキャナであり、画像を読み取って印刷データを生成する。画像形成部１１１は例えばプリンタエンジンであり、印刷データに基づく画像を記録紙に印刷する。操作部１１２は例えばタッチパネルなどであり、ユーザからの指示を受け付ける受付手段として機能したり、各種情報を表示する表示手段として機能したりする。
【００２３】
図２は画像形成部１１１の内部構成を示す図である。
【００２４】
制御部１０９は画像形成制御プログラムを実行して、印刷データに基づく画像を記録紙に形成するよう画像形成部１１１を制御する。その際、制御部１０９は画像形成部１１１との間で、印刷データ、制御コマンド、画像形成部１１１のステータス情報をやり取りする。制御コマンドは給紙要求や結露除去要求などの指示である。
【００２５】
画像形成部１１１は制御部１０９から給紙要求を受信すると、給紙可能であるかを判定する。給紙可能である場合には、画像形成部１１１は給紙可能を示すステータス情報を制御部１０９に送信する。
【００２６】
さらに、画像形成部１１１は印刷データに応じたレーザ光を感光ドラム２００に照射して、印刷データに応じた潜像を感光ドラム２００上に形成する。現像器２０１は、現像器２０１内のトナーを感光ドラム２００の潜像部分に付着させる。そして、レーザ光の照射の開始と同期したタイミングで、画像形成部１１１は、給紙カセット２０２または２０３に記録紙を給紙させて、記録紙を中間転写ベルト２０５へ搬送する。転写部２０４は感光ドラム２００に付着したトナーを中間転写ベルト２０５に転写する。
【００２７】
中間転写ベルト２０５はトナーを記録紙に転写し、トナーの乗った記録紙を定着部２０６に搬送し、定着部２０６は熱と圧力によりトナーを記録紙に定着する。画像形成部１１１は印刷開始前に定着部２０６の昇温などの前処理を行い、前処理中のステータスを示すステータス情報を制御部１０９に送信する。また、画像形成部１１１は印刷完了後に定着部２０６の降温などの後処理を行い、後処理のステータスを示すステータス情報を制御部１０９に送信する。定着部２０６を通過した記録紙は排紙ローラ２０７によって排紙トレイ２０８に排出される。
【００２８】
画像形成部１１１は、記録紙にトナーを転写した後に残ったトナー（廃トナー）を廃トナーボックス２０９に排出する。
【００２９】
印刷ジョブが両面印刷を行うものであった場合、画像形成部１１１は、第一面に印刷の行われた記録紙を排紙ローラ２０７まで搬送したあと、排紙ローラ２０７の回転を逆転させる。すると、記録紙はフラッパ２１０によって再給紙搬送路２１１へ導かれ、さらに再給紙搬送路２１１から転写部２０４に搬送される。画像形成部１１１は、第二面への印刷が完了したあと、第二面に印刷の行われた記録紙を排紙ローラ２０７まで搬送する。排紙ローラ２０７は両面印刷の行われた記録紙を排紙トレイ２０８に排出する。
【００３０】
給紙が不可能な場合には、画像形成部１１１は給紙不可能を示すステータス情報を制御部１０９に送信し、潜像、給紙、搬送、転写、定着に係る動作を行わない。
【００３１】
画像形成部１１１は、上記で説明した画像形成処理を応用して結露除去を行うことができる。制御部１０９は結露除去要求を画像形成部１１１に送信する。画像形成部１１１は結露除去要求を受信した場合、結露除去中を示すステータス情報を制御部１０９に送信するとともに、下記で説明するような結露除去処理を実行する。
【００３２】
結露除去処理では、画像形成部１１１は結露除去用の画像データに応じた潜像を感光ドラム２００上に形成し、現像器２０１はトナーを感光ドラム２００の潜像部分に付着させる。このとき、感光ドラム２００上に発生している結露をトナーが吸着して、結露を除去する。
【００３３】
このあと、画像形成部１１１は給紙カセット２０２及び２０３に記録紙を給紙させず、中間転写ベルト２０５を駆動する。すると、トナーが中間転写ベルト２０５上に転写される。そこで、画像形成部１１１は、中間転写ベルト２０５上に転写されたトナーを廃トナーとして廃トナーボックス２０９に排出する。さらに、画像形成部１１１は、廃トナーを廃トナーボックス２０９に排出した後、中間転写ベルト２０５を空回転させて、画像形成装置１０２内の温度を上昇させる。これにより、結露がより一層除去される。
【００３４】
画像形成部１１１は結露除去処理を完了した後、結露除去の完了を示すステータス情報を制御部１０９に送信する。
【００３５】
トナーを使用した結露除去では、トナーの消費量や空回転時間が大きいほど、結露除去の効果が高くなる。その反面、トナーの減りが早くなり、結露除去に要する時間が長くなる。そこで、ユーザは、操作部１１２に表示される設定画面で結露除去レベルを設定できるようにしてもよい。
【００３６】
制御部１０９は、操作部１１２から入力されたレベル値を記憶部１０８に記憶させておき、結露除去要求とともにレベル値を画像形成部１１１に送信する。画像形成部１１１は制御部１０９から受信したレベル値に応じたトナー使用量と空回転時間を決定し、決定したトナー使用量と空回転時間とに基づいて結露除去を実行する。つまり、画像形成部１１１は、決定したトナー使用量に応じたトナーを感光ドラム２００に付着させる。また、画像形成部１１１は、決定した空回転時間の間、中間転写ベルト２０５を空回転させる。こうすることにより、トナーの使用量及び結露除去に要する時間と結露除去の効果とのバランスをユーザが選択できる。
【００３７】
図３は、操作部１１２に表示される結露除去操作画面の一例を示す図である。
【００３８】
操作部１１２には、結露除去を選択するためのボタンが用意されている。制御部１０９はそのボタンの押下を検知した場合、操作画面３００を操作部１１２に表示させる。このとき、制御部１０９は、後述する判定処理を実行して、結露除去を実行できるかどうかを判定し、結露除去を実行できると判定した場合には、開始ボタン３０１を押下できるようにする。制御部１０９は開始ボタン３０１の押下を検知した場合、結露除去要求を画像形成部１１１に送信するとともに、操作画面３１０を操作部１１２に表示させる。
【００３９】
制御部１０９は、結露除去を実行できないと判定した場合には、開始ボタン３０１をグレーアウト表示して、開始ボタン３０１の押下を検知しないようにする。制御部１０９は、戻るボタン３０２の押下を検知した場合には、操作画面３００が表示される前に表示されていた画面を操作部１１２に表示させる。
【００４０】
操作画面３１０では、結露除去を実行中であることを示す文言を表示する。画像形成部１１１が結露除去処理を完了した場合には、制御部１０９は操作画面３２０を操作部１１２に表示させる。操作画面３２０では、結露除去が完了したことを示す文言を表示する。制御部１０９は戻るボタン３２１の押下を検知した場合には、操作画面３００が表示される前に表示されていた画面を操作部１１２に表示させる。
【００４１】
図４は、結露除去を実行できるかどうかを判定する判定処理を示すフローチャートである。ＣＰＵが図４のフローチャートに基づくプログラムを実行することにより、図４のフローチャートに基づく判定処理が行われる。
【００４２】
まず、制御部１０９は、記憶部１０８に記憶されているジョブリストを読み出して、実行中の印刷ジョブがあるかをジョブリストに基づいて判断する（ステップＳ４０１）。印刷ジョブとは、外部の情報処理装置から受信した印刷データに基づくＰＤＬ印刷ジョブや操作部１１２から指示されたコピージョブなどである。実行中のジョブがある場合には、ステップＳ４０６に進む。
【００４３】
実行中のジョブがない場合には、制御部１０９は、画像形成部１１１から受信するステータス情報を監視して、画像形成部１１１が後処理を実行中であるかをステータス情報に基づいて判断する（ステップＳ４０２）。画像形成部１１１が後処理を実行中であれば、ステップＳ４０６に進む。
【００４４】
後処理を実行中でなければ、制御部１０９は、一定量のトナーが画像形成部１１１に残っているかを判断する（ステップＳ４０３）。制御部１０９は、残っているトナー量を示すステータス情報を画像形成部１１１から受信可能であり、一定量のトナーが画像形成部１１１に残っているかをそのステータス情報に基づいて判断する。一定量のトナーが残っていない場合には、ステップＳ４０６に進む。
【００４５】
一定量のトナーが残っている場合には、制御部１０９は廃トナーボックス２０９があるかを判断する（ステップＳ４０４）。廃トナーボックス２０９に蓄積可能な廃トナーの量は有限であるため、ユーザは定期的に廃トナーボックス２０９を画像形成装置１０２から取り出し、廃トナーボックス２０９の中の廃トナーを廃棄しなければならない。そのため、廃トナーボックス２０９がないことが起こりうる。廃トナーボックス２０９が格納される領域に備えられたセンサで、廃トナーボックス２０９が取り出されているかどうかは検知可能である。センサは例えば重さセンサである。廃トナーボックス２０９がない場合には、ステップＳ４０６に進む。
【００４６】
廃トナーボックス２０９がある場合には、制御部１０９は操作画面３００を操作部１１２に表示させるとともに、図３の開始ボタン３０１を押下可能にする（ステップＳ４０５）。そして、制御部１０９は開始ボタン３０１の押下を検知し始める。一方、ステップＳ４０６では、制御部１０９は、操作画面３００を操作部１１２に表示させるものの、開始ボタン３０１を操作部１１２にグレーアウト表示させる。この場合には、ユーザは結露除去の開始を指示できない。開始ボタンをグレーアウトすることにより、ユーザは開始ボタンを押下できないことを認識しやすくなる。
【００４７】
図４の説明によれば、制御部１０９は、実行中のジョブがある場合や後処理が実行されている場合には、結露除去要求を画像形成部１１１に送信しない。しかしながら、制御部１０９が結露除去要求を画像形成部１１１に送信した後であって、結露除去中を示すステータス情報を画像形成部１１１から受信する前に、印刷ジョブが生成されてしまう場合がある。
【００４８】
図５は、印刷ジョブの実行と結露除去の実行とが競合した場合に実行する処理を示すフローチャートである。ＣＰＵが図５のフローチャートに基づくプログラムを実行することにより、図５のフローチャートに基づく処理が行われる。
【００４９】
まず、制御部１０９は、操作部１１２から入力された印刷開始指示や情報処理装置１０１から受信した印刷データに従って印刷ジョブを生成する（ステップＳ５０１）。つぎに、制御部１０９は、印刷ジョブに係る給紙要求を画像形成部１１１に送信するに先だって、結露除去中であるかを判断する（ステップＳ５０２）。
【００５０】
画像形成部１１１に送信した結露除去要求に対する応答として結露除去中を示すステータス情報を受信している場合には、結露除去中であると判断する。その場合には、制御部１０９は、結露除去の完了を示すステータス情報を画像形成部１１１から受信するまで待機する。結露除去中を示すステータス情報を受信していない場合、または結露除去の完了を示すステータス情報を受信している場合には、制御部１０９は、結露除去中ではないと判断する。
【００５１】
結露除去中でない場合には、制御部１０９は給紙要求を画像形成部１１１に送信し、（ステップＳ５０３）。給紙結果を示すステータス情報を画像形成部１１１から受信する（ステップＳ５０４）。給紙結果は給紙の成功または給紙の失敗を示す。さらに、給紙結果が給紙の失敗を示す場合には、給紙結果はその要因も含んでいる。失敗の要因には、給紙カセットに記録紙がない場合、搬送中の記録紙がジャムしている場合、結露除去中である場合などである。なお、給紙の失敗とは、ある要因で給紙そのものを開始できなかったことも含む。図５では、制御部１０９は結露除去中により給紙が失敗したかどうかに注目する。そのほかの要因に対する動作は図５では省略する。
【００５２】
制御部１０９は、給紙結果に基づいて、結露除去中により給紙が失敗したかどうかを判断する（ステップＳ５０５）。給紙が失敗していない場合には、制御部１０９は、印刷ジョブに基づいて全ページの印刷が完了したかどうかを判断する（Ｓ５０６）。全ページの印刷が完了していない場合には、制御部１０９は、次のページの印刷のために、再び給紙要求を画像形成部１１１に送信する。
【００５３】
給紙が失敗している場合には、制御部１０９は、結露除去が完了したかどうかを判断する（ステップＳ５０７）。つまり、制御部１０９は、結露除去の完了を示すステータス情報を画像形成部１１１から受信するまで待機する。結露除去が完了した場合には、制御部１０９は再度、印刷ジョブに係る給紙要求を画像形成部１１１に送信する。
【００５４】
図３及び図４の実施例では、結露除去を実行するのに必要な条件が満たされていない場合には、制御部１０９は開始ボタン３０１をグレーアウトする。しかしながら、制御部１０９は、開始ボタン３０１をグレーアウトする代わりに、開始ボタン３０１が押下されても結露除去要求を画像形成部１１１に送信しないようにしてもよい。この場合には、制御部１０９は、開始ボタン３０１の押下に応じて、「結露除去を実行することができません」という文言を操作部１１２に表示させる。
【００５５】
図４の実施例では、結露除去を実行するのに必要な条件として４つの条件を例示した。しかしながら、結露除去の方法に応じたそのほかの条件を設けてもよい。例えば、前回結露除去が行われてから一定時間が経過していること、印刷ジョブが実行されてから一定時間が経過していること、などである。これらの条件を設けることにより、結露除去処理が必要以上に行われることを防止できる。
【００５６】
このように、印刷ジョブの実行と結露除去の実行とが競合しても、結露除去を阻害することなく印刷ジョブを実行することができる。つまり、結露除去が印刷ジョブによって邪魔されることなく、適切なタイミングで実行される。
【００５７】
また、本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（またはＣＰＵやＭＰＵ等）がプログラムを読み出して実行する処理である。
【符号の説明】
【００５８】
１０１  情報処理装置
１０２  画像形成装置
１０３  ネットワーク
１０４  ネットワーク通信部
１０５  記憶部
１０６  制御部
１０７  ネットワーク通信部
１０８  記憶部
１０９  制御部
１１０  画像入力部
１１１  画像形成部
１１２  操作部
２００  感光ドラム
２０１  現像器
２０２  給紙カセット
２０３  給紙カセット
２０４  転写部
２０５  中間転写ベルト
２０６  定着部
２０７  排紙ローラ
２０８  排紙トレイ
２０９  廃トナーボックス
２１０  フラッパ
２１１  再給紙搬送路
【図１】
2012093718.tif 000003
【図２】
2012093718.tif 000004
【図３】
2012093718.tif 000005
【図４】
2012093718.tif 000006
【図５】
2012093718.tif 000007